(57)【特許請求の範囲】
【請求項１】
硬貨返却口を設けた受皿部と、前記受皿部に投入される硬貨を取得してその金種を鑑別すると共に金種別の枚数と合計枚数をカウントする金種鑑別手段と、所定枚数の硬貨を金種別に収納する金種収納手段と、硬貨の合計枚数が前記所定枚数以上の場合にその合計枚数と所定枚数の差分枚数の硬貨を前記硬貨返却口を介して受皿部に搬送する搬送手段とを有する硬貨処理装置において、
受皿部に搬送される硬貨の枚数が所定の規定枚数に達したときに受皿部への硬貨の集積箇所を変更する集積箇所変更手段を設けたことを特徴とする硬貨処理装置。
【請求項２】
請求項１に記載の硬貨処理装置において、前記集積箇所変更手段は、前記搬送手段にかつ受皿部の前記硬貨返却口の近辺に設けられ、硬貨の搬送ルートを切り替えることにより受皿部への硬貨の集積箇所を変更することを特徴とする硬貨処理装置。
【請求項３】
硬貨返却口を設けた受皿部と、前記受皿部に投入される硬貨を取得してその金種を鑑別すると共に金種別の枚数と合計枚数をカウントする金種鑑別手段と、所定枚数の硬貨を金種別に収納する金種収納手段と、硬貨の合計枚数が前記所定枚数以上の場合にその合計枚数と所定枚数の差分枚数の硬貨を前記硬貨返却口を介して受皿部に搬送する搬送手段とを有する硬貨処理装置において、
受皿部に搬送される硬貨の枚数が所定の規定枚数に達したときに装置を停止させる手段を具備したことを特徴とする硬貨処理装置。
【請求項４】
請求項１から請求項３のいずれか１つに記載の硬貨処理装置において、前記規定枚数を、受皿部に搬送される硬貨の金種に基づいて変更することを特徴とする硬貨処理装置。
【請求項５】
請求項１から請求項４のいずれか１つに記載の硬貨処理装置と、その硬貨処理装置の受皿部に硬貨を投入するための硬貨投入口とを具備したことを特徴とする自動取引装置。
【発明の詳細な説明】
【０００１】
【発明の属する技術分野】
本発明は、処理できる枚数より多量の硬貨が投入されたときにオーバー分の硬貨を返却する硬貨処理装置とこの硬貨処理装置を用いる金融機関などの自動取引装置に関する。
【０００２】
【従来の技術】
図１１は従来の一例の硬貨処理装置の側面図であり、図１２は図１１中の部分Ｐの平面図である。
この硬貨処理装置８１は、顧客が投入した硬貨Ｃｄ（以下、投入硬貨と言う。）や顧客に返却される硬貨（以下、返却硬貨と言う。）を収納する受皿部１と、投入硬貨Ｃｄを通路２を介して受け取り１枚ずつ分離してから搬送部４に送り出す繰出部３と、投入硬貨Ｃｄの金種を鑑別すると共に投入硬貨Ｃｄの金種別の枚数と合計枚数をカウントする金種鑑別部５と、投入硬貨Ｃｄを金種別に選別する選別部６と、投入硬貨Ｃｄを金種別に一時的に収納する一時保留部７と、投入硬貨Ｃｄを金種別に最終的に収納する金種スタッカ８と、投入硬貨Ｃｄのうち前記一時保留部７の収納能力を超えた硬貨を一時的に保留する横搬送部９と、前記横搬送部９が保留している硬貨を受け取るリジェクトスタッカ１０と、前記リジェクトスタッカ１０中の硬貨を前記繰出部３に送り出す縦搬送部１１と、出金用の硬貨を収納すると共に補充動作時にその硬貨を前記金種スタッカ８または前記リジェクトスタッカ１０に搬送する補充回収カセット１２と、回収時に選別できなかった硬貨を収納する回収リジェクトカセット１３と、前記横搬送部９の保留能力を超えた硬貨を前記搬送部４を介して前記受皿部１に集積するための硬貨返却口１４と、顧客が取り忘れた硬貨を収納する取込リジェクトボックス１５と、前記受皿部１のカバ１７と、前記受皿部１に硬貨を投入するための硬貨投入口７５と、前記カバ１７の回転支点１８とを具備した構成である。
【０００３】
次に、図１３〜図１８を用いて、上記硬貨処理装置８１における入金動作を説明する。
顧客による硬貨の投入が完了したら、図１３に示すように、前記受皿部１を回転させる。これにより、投入硬貨Ｃｄは、通路２を介して前記繰出部３に落ちる。
【０００４】
次に、図１４に示すように、前記繰出部３が、投入硬貨Ｃｄを１枚ずつ分離して搬送部４に送り出す。なお、図示しないが、繰出部３の内側には突起が設けられており、繰出部３を回転させることにより硬貨を１枚ずつ分離して搬送部４に送り出すことができるようになっている。
金種鑑別部５は、１枚１枚の投入硬貨Ｃｄの金種を鑑別すると共に投入硬貨Ｃｄの金種別の枚数と合計枚数をカウントする。そして、１枚１枚の投入硬貨Ｃｄの金種を前記選別部６に通知すると共にその投入硬貨Ｃｄを選別部６に送り出す。なお、説明の都合上、硬貨は、１円，５円，１０円，５０円，１００円，５００円の６種あるとする。
【０００５】
選別部６は、１枚１枚の投入硬貨Ｃｄをその金種別に基づいて選別して一時保留部７に誘導する。
一時保留部７は、予め設定された枚数（以下、一時保留部７の収納能力と言う。）の硬貨を金種別に一時的に収納する。ここで、一時保留部７の収納能力は、１円硬貨の場合は、例えば１０枚であると仮定する。
【０００６】
顧客との取り引きが完了したときに前記一時保留部７に保留されている投入硬貨Ｃｄは、前記金種スタッカ８に、金種別に収納される。前記金種スタッカ８は、例えば、１円硬貨を１３０枚，５円硬貨を１３０枚，１０円硬貨を１３０枚，５０円硬貨を１２０枚，１００円硬貨を１２０枚，５００円硬貨を１００枚収納できるようになっている。
【０００７】
なお、金種鑑別部５は、前記一時保留部７に誘導した金種別の硬貨の枚数が一時保留部７の収納能力に達している（例えば１１枚目以降の１円硬貨）場合は、その旨を選別部６に通知する。すると、選別部６は、それ以降の硬貨を、図１５に示すように、横搬送部９に誘導する。また、金種鑑別部５は、投入硬貨Ｃｄの中に、金種を鑑別できない（例えば汚れている硬貨や外国の硬貨）硬貨がある場合は、その旨を選別部６に通知する。すると、選別部６は、その硬貨を回収リジェクトカセット１３に誘導する。
【０００８】
前記横搬送部９は、予め設定された枚数（以下、横搬送部９の収納能力と言う。）の硬貨を一時的に収納する。ここで、横搬送部９の収納能力は、金種に関わらず、例えば４０枚であると仮定する。
このように、１円硬貨の場合のみを考えると、一時保留部７と横搬送部９とでは、
Ｎ（５０枚）＝  一時保留部７の収納能力（１０枚）＋  横搬送部９の収納能力（４０枚）
枚の硬貨を収納できるようになる。
【０００９】
そこで、金種鑑別部５は、（Ｎ＋１）枚目の１円硬貨（以下、オーバー分硬貨と言う。）を感知すると、その旨を選別部６に通知する。すると、選別部６は、そのオーバー分硬貨を、図１６および図１７に示すように、搬送部４と硬貨返却口１４を介して受皿部１に返却硬貨Ｃｒとして返却する。
なお、前記受皿部１は、５００円硬貨を１００程投入できるように設計されているため、体積が小さい１円硬貨なら３００枚程投入できる。そこで、受皿部１に、１円硬貨を３００枚投入すると、５１枚目の硬貨からの全ての硬貨はオーバー分硬貨として受皿部１に返却される。
【００１０】
【発明が解決しようとする課題】
上記従来の硬貨処理装置では、硬貨返却口１４が一箇所なため、受皿部１に返却されたオーバー分硬貨は、硬貨返却口１４付近の一箇所で山積みされる。
しかし、オーバー分硬貨の量が多い場合は、硬貨返却口１４付近に山積みされた硬貨が、図１８に示すように、硬貨返却口１４をブロックしてしまい、後続の硬貨で搬送部４がつまってしまう。なお、搬送部４がつまると、搬送不良が発生し、装置が障害ダウンしてしまう問題点がある。また、後続の硬貨が、山積みされた硬貨と衝突して装置の内部に落ちて障害を起こす問題点がある。なお、搬送部４に硬貨がつまったときに、受皿部１のカバ１７を開けてそのつまった硬貨を取り出すようになっているが、このとき、搬送部４につまった硬貨が装置の内部に落ちて障害を起こす問題点がある。
【００１１】
そこで、本発明の目的は、オーバー分硬貨で硬貨返却口をブロックしてしまわない硬貨処理装置およびこの硬貨処理装置を用いた自動取引装置を提供することにある。
【００１２】
【課題を解決するための手段】
上記問題を解決するために、本発明は、硬貨返却口を設けた受皿部と、前記受皿部に投入される硬貨を取得してその金種を鑑別すると共に金種別の枚数と合計枚数をカウントする金種鑑別手段と、所定枚数の硬貨を金種別に収納する金種収納手段と、硬貨の合計枚数が前記所定枚数以上の場合にその合計枚数と所定枚数の差分枚数の硬貨を前記硬貨返却口を介して受皿部に搬送する搬送手段とを有する硬貨処理装置において、受皿部に搬送される硬貨の枚数が所定の規定枚数に達したときに受皿部への硬貨の集積箇所を変更する集積箇所変更手段を設けたことを特徴とする硬貨処理装置を提供する。
【００１３】
上記硬貨処理装置では、規定枚数（例えば、１円硬貨なら１５０枚）を超えた硬貨からの硬貨は、以前に山積みされた硬貨とは別な箇所で山積みされるため、オーバー分硬貨の一箇所の過重山積みを防止できることとなる。このため、硬貨返却口がブロックされることがなくなり、搬送手段に硬貨がつまることなく従来の約２倍の硬貨を返却できることとなる。また、搬送手段に硬貨がつまらなくなるから搬送不良がおきにくくなり、装置が障害ダウンしなくなる。
【００１４】
【発明の実施の形態】
以下、図に示す実施の形態により本発明をさらに詳細に説明する。なお、これにより本発明が限定されるものではない。
図１は、本発明の一実施の形態の自動取引装置の外見図である。
この自動取引装置１００では、７０は筐体であり、７１は取引業務表示であり、７２はキャッシュカードやクレジットカードなどを挿入や排出するためのカード挿入排出口であり、７３は取り引きの内容が印刷されたレシートを排出するためのレシート排出口であり、７４は通帳を挿入や排出するための通帳挿入排出口であり、７５は複数の硬貨を同時に投入するための硬貨投入口であり、７６は紙幣を挿入や排出するための紙幣入出金口であり、７７は表示・入力部である。
【００１５】
上記硬貨投入口７５から投入された硬貨は、硬貨処理装置８０により処理される。
図２は上記硬貨処理装置８０の側面図であり、図３は図２中の部分Ｐの平面図である。
この硬貨処理装置８０は、顧客が投入した硬貨Ｃｄ（以下、投入硬貨と言う。）や顧客に返却される硬貨（以下、返却硬貨と言う。）を収納する受皿部１と、投入硬貨Ｃｄを通路２を介して受け取り１枚ずつ分離してから搬送部４に送り出す繰出部３と、投入硬貨Ｃｄの金種を鑑別すると共に投入硬貨Ｃｄの金種別の枚数と合計枚数をカウントする金種鑑別部５と、投入硬貨Ｃｄを金種別に選別する選別部６と、投入硬貨Ｃｄを金種別に一時的に収納する一時保留部７と、投入硬貨Ｃｄを金種別に最終的に収納する金種スタッカ８と、投入硬貨Ｃｄのうち前記一時保留部７の収納能力を超えた硬貨を一時的に保留する横搬送部９と、前記横搬送部９が保留している硬貨を受け取るリジェクトスタッカ１０と、前記リジェクトスタッカ１０中の硬貨を前記繰出部３に送り出す縦搬送部１１と、出金用の硬貨を収納すると共に補充動作時にその硬貨を前記金種スタッカ８または前記リジェクトスタッカ１０に搬送する補充回収カセット１２と、回収時に選別できなかった硬貨を収納する回収リジェクトカセット１３と、前記横搬送部９の保留能力を超えた硬貨を前記搬送部４を介して前記受皿部１に集積するための硬貨返却口１４と、前記受皿部１に搬送される硬貨の搬送ルートを切り替えるルート切替ゲート１５と、顧客が取り忘れた硬貨を収納する取込リジェクトボックス１６と、前記受皿部１のカバ１７と、前記カバ１７の回転支点１８とを具備した構成である。
【００１６】
次に、図４〜図１０を用いて、上記硬貨処理装置８０における入金動作を説明する。
顧客による硬貨の投入が完了したら、図４に示すように、前記受皿部１を回転させる。これにより、投入硬貨Ｃｄは、通路２を介して前記繰出部３に落ちる。
次に、図５に示すように、前記繰出部３が、投入硬貨Ｃｄを１枚ずつ分離して搬送部４に送り出す。なお、図示しないが、繰出部３の内側には突起が設けられており、繰出部３を回転させることにより硬貨を１枚ずつ分離して搬送部４に送り出すことができるようになっている。
【００１７】
金種鑑別部５は、１枚１枚の投入硬貨Ｃｄの金種を鑑別すると共に投入硬貨Ｃｄの金種別の枚数と合計枚数をカウントする。そして、１枚１枚の投入硬貨Ｃｄの金種を前記選別部６に通知すると共にその投入硬貨Ｃｄを選別部６に送り出す。なお、説明の都合上、硬貨は、１円，５円，１０円，５０円，１００円，５００円の６種あるとする。
【００１８】
選別部６は、１枚１枚の投入硬貨Ｃｄをその金種別に基づいて選別して一時保留部７に誘導する。
一時保留部７は、一時保留部７の収納能力の枚数の硬貨を金種別に一時的に収納する。ここで、一時保留部７の収納能力は、１円硬貨の場合は、例えば１０枚であると仮定する。
【００１９】
顧客との取り引きが完了したときに前記一時保留部７に保留されている投入硬貨Ｃｄは、前記金種スタッカ８に、金種別に収納される。前記金種スタッカ８は、例えば、１円硬貨を１３０枚，５円硬貨を１３０枚，１０円硬貨を１３０枚，５０円硬貨を１２０枚，１００円硬貨を１２０枚，５００円硬貨を１００枚収納できるようになっている。
【００２０】
なお、金種鑑別部５は、前記一時保留部７に誘導した金種別の硬貨の枚数が一時保留部７の収納能力に達している（例えば１１枚目以降の１円硬貨）場合は、その旨を選別部６に通知する。すると、選別部６は、それ以降の硬貨を、図６に示すように、横搬送部９に誘導する。また、金種鑑別部５は、投入硬貨Ｃｄの中に、金種を鑑別できない（例えば汚れている硬貨や外国の硬貨）硬貨がある場合は、その旨を選別部６に通知する。すると、選別部６は、その硬貨を回収リジェクトカセット１３に誘導する。
【００２１】
前記横搬送部９は、横搬送部９の収納能力の枚数の硬貨を一時的に収納する。ここで、横搬送部９の収納能力は、金種に関わらず、例えば４０枚であると仮定する。
このように、１円硬貨の場合のみを考えると、一時保留部７と横搬送部９とでは、
Ｎ（５０枚）＝  一時保留部７の収納能力（１０枚）＋  横搬送部９の収納能力（４０枚）
枚の硬貨を収納できるようになる。
【００２２】
そこで、金種鑑別部５は、オーバー分硬貨（（Ｎ＋１）枚目の１円硬貨）を感知すると、その旨を選別部６に通知する。すると、選別部６は、そのオーバー分硬貨を、図７および図８に示すように、搬送部４と硬貨返却口１４を介して受皿部１に返却する。なお、これらの硬貨は、返却硬貨Ｃｒ１として、受皿部１の一箇所に山積みされる。
【００２３】
なお、金種鑑別部５は、返却硬貨Ｃｒ１の枚数をカウントする。そして、返却硬貨Ｃｒ１の枚数が予め設定された規定枚数を超えた場合は、図９に示すように、ルート切替ゲート１５を操作して、後続の硬貨の搬送ルートを切り替える。すると、図１０に示すように、後続の硬貨は、前記返却硬貨Ｃｒ１とは別な箇所で、返却硬貨Ｃｒ２として山積みされる。
【００２４】
前記規定枚数とは、受皿部１に山積みにされても硬貨返却口１４をブロックしない硬貨の枚数であり、各金種についてまたは金種を混合させて実験的に求めて設定する。また、規定枚数を経験に基づいて設定するようにしてもよい。
１円硬貨の場合は、規定枚数を例えば１５０枚とすると、１枚目から１５０枚目の硬貨は一箇所に山積みされ、１５１枚目からの硬貨は前記一箇所とは別な箇所で山積みされる。このため、返却硬貨が硬貨返却口付近の一箇所にのみ山積みされて、後続の硬貨をブロックすることがなくなる。
【００２５】
硬貨処理装置の他の実施の形態として、最初規定枚数と最大規定枚数を設定し、受皿部１に返却されている硬貨の枚数が最初規定枚数を超えたときにルート切替ゲート１５を操作して後続硬貨の山積み箇所を変更し、受皿部１に返却されている硬貨の枚数が最大規定枚数を超えたときに装置を停止させるようにする。
【００２６】
【発明の効果】
以上説明したように、本発明では、受皿部に返却されている硬貨の枚数が規定枚数を超えた場合に、ルート切替ゲートを操作して、後続の硬貨を、以前に山積みされている硬貨とは別な箇所で山積みする。このため、以前に山積みされた硬貨で硬貨返却口がブロックされてしまうことがなくなり、受皿部に従来の約２倍の硬貨を返却できる。また、搬送不良がおきにくくなり、装置が障害ダウンしなくなるから、装置を有効稼働できることとなる。
【図面の簡単な説明】
【図１】本発明の一実施形態の自動取引装置の外見図である。
【図２】図１の自動取引装置の硬貨処理装置の側面図である。
【図３】図２の硬貨処理装置の受皿部の平面図である。
【図４】硬貨の取り込みの説明図である。
【図５】硬貨の金種スタッカへ収納の説明図である。
【図６】硬貨の横搬送部へ収納の説明図である。
【図７】オーバー分硬貨の返却の説明図である。
【図８】オーバー分硬貨の山積みの模式図である。
【図９】ルート切替ゲートの操作の説明図である。
【図１０】ルート切替ゲートの操作後のオーバー分硬貨の山積みの模式図である。
【図１１】従来の硬貨処理装置の側面図である。
【図１２】図１１の硬貨処理装置の受皿部の平面図である。
【図１３】硬貨の取り込みの説明図である。
【図１４】硬貨の金種スタッカへ収納の説明図である。
【図１５】硬貨の横搬送部へ収納の説明図である。
【図１６】オーバー分硬貨の返却の説明図である。
【図１７】オーバー分硬貨の山積みの模式図である。
【図１８】硬貨返却口のブロックの模式図である。
【符号の説明】
１００            自動取引装置
７５              硬貨投入口
８０              硬貨処理装置
１                受皿部
２                通路
３                繰出部
４                搬送部
５                金種鑑別部
６                選別部
７                一時保留部
８                金種スタッカ
９                横搬送部
１０              リジェクトスタッカ
１１              縦搬送部
１２              補充回収カセット
１３              回収リジェクトカセット
１４              硬貨返却口
１５              ルート切替ゲート
１６              取込リジェクトボックス
１７              カバ
１８              回転支点
【図１】
0003575956.tif 000002
【図２】
0003575956.tif 000003
【図３】
0003575956.tif 000004
【図４】
0003575956.tif 000005
【図５】
0003575956.tif 000006
【図６】
0003575956.tif 000007
【図７】
0003575956.tif 000008
【図８】
0003575956.tif 000009
【図９】
0003575956.tif 000010
【図１０】
0003575956.tif 000011
【図１１】
0003575956.tif 000012
【図１２】
0003575956.tif 000013
【図１３】
0003575956.tif 000014
【図１４】
0003575956.tif 000015
【図１５】
0003575956.tif 000016
【図１６】
0003575956.tif 000017
【図１７】
0003575956.tif 000018
【図１８】
0003575956.tif 000019